(57)【要約】【課題】家具の側板の内面に取り付けられる部品を、その取付位置に精度良く簡単に取り付けることが可能な取付用テンプレート、その製造方法及び当該取付用テンプレートを用いた部品の取付方法を提供する。【解決手段】家具１００の側板１１１の内面における所定の取付位置に取り付けられる部品の取付用テンプレート１１であって、表面１１Ｆ又は裏面１１Ｅを家具１００の側板１１１の内面に当接させるとともに、外周端を家具１００の背板１１５と底板１１２又は棚板１１３との両者に当接させることにより、部品の位置決め作業及び取付作業を補助するための補助位置に配置される板状の本体１３と、本体１３を補助位置に配置したときに本体１３における側板１１１の取付位置に対応する位置に、部品の外形に対応する形状であり且つ本体１３を厚さ方向に貫通するように形成され、内周側に部品が配置されることにより部品の位置決め作業及び取付作業を補助する孔１２及び切欠き１４，１７，１６と、を備えたことを特徴とする。【選択図】図３
2020162874.tif 000002
【特許請求の範囲】
【請求項１】
家具の側板の内面における所定の取付位置に取り付けられる部品の取付用テンプレートであって、
表面又は裏面を前記家具の前記側板の内面に当接させるとともに、外周端を前記家具の背板と底板又は棚板との両者に当接させることにより、前記部品の位置決め作業及び取付作業を補助するための補助位置に配置される板状の本体と、
前記本体を前記補助位置に配置したときに該本体における前記側板の前記取付位置に対応する位置に、該部品の外形に対応する形状であり且つ該本体を厚さ方向に貫通するように形成され、内周側に該部品が配置されることにより該部品の位置決め作業及び取付作業を補助する孔及び切欠きの少なくとも一方と、を備えた
ことを特徴とする取付用テンプレート。
【請求項２】
請求項１において、
前記部品は、複数の部品であり、
前記複数の部品に対応する複数の前記孔及び前記切欠きの少なくとも一方を備える
ことを特徴とする取付用テンプレート。
【請求項３】
請求項１又は請求項２において、
前記家具は、引き出しを備えた収納家具であり、
前記部品は、前記引き出し用のレール、耐震ロック及びマグネットの少なくとも一種である
ことを特徴とする取付用テンプレート。
【請求項４】
請求項１〜３のいずれか１項において、
前記本体は、前端において二つ折りにされた板材である
ことを特徴とする取付用テンプレート。
【請求項５】
請求項１〜４のいずれか１項において、
前記部品は、前記家具の左右の側板の内面に取り付けられる左右一対の部品であり、
前記本体を一方の側板側の前記補助位置に配置することにより、該一方の側板に取り付けられる部品の取付用に用いられ、
前記本体を他方の側板側の前記補助位置に配置することにより、該他方の側板に取り付けられる部品の取付用に用いられる
ことを特徴とする取付用テンプレート。
【請求項６】
請求項５に記載の取付用テンプレートを用いて前記部品を前記側板の前記取付位置に取り付ける方法であって、
前記本体を一方の側板側の前記補助位置に配置させる工程と、
前記本体が前記補助位置に配置された状態で、前記孔及び前記切欠きの少なくとも一方に、前記一方の側板に取り付けられる部品を配置し、該部品を該側板に取り付ける工程と、
前記部品を取り付けた後に前記本体を前記一方の側板から取外す工程と、
前記本体を前記他方の側板側の前記補助位置に配置させ、前記孔及び前記切欠きの少なくとも一方に、該他方の側板に取り付けられる部品を配置し、該部品を該側板に取り付ける工程とを備えた
ことを特徴とする部品の取付方法。
【発明の詳細な説明】
【技術分野】
【０００１】
本開示は、取付用テンプレート、その製造方法及び部品の取付方法に関するものである。
【背景技術】
【０００２】
収納家具に金具製品を取り付けるために、位置決め用型紙を使用することがある（例えば、特許文献１及び非特許文献１参照）。
【０００３】
特許文献１には、収納家具の金具固定用に下穴を開けるための型紙が開示されている。
【０００４】
また、非特許文献１には、収納家具に引き出し用のレールを取り付ける際に、レール固定治具を用いることが開示されている。
【先行技術文献】
【特許文献】
【０００５】
【特許文献１】特開２０１３−１４６４５６号公報
【非特許文献】
【０００６】
【非特許文献１】「パナソニック  システムファーニチャー  キュビオス（品番：ＱＦＴシリーズ）  施工説明書（総合編）  第９版」、パナソニック株式会社、２０１７年９月発行、第６２頁
【発明の概要】
【発明が解決しようとする課題】
【０００７】
しかしながら、特許文献１に記載された型紙は下穴を開けるためのものであるから、下穴を開けた後に型紙を外して金具を取り付ける作業が必要であり、金具の取付工程の簡素化という観点から、改善の余地があった。
【０００８】
また、非特許文献１のものでは、収納家具の奥行方向におけるレールの取付位置が明確ではないという問題や、耐震ロック等のレール以外の金具の取り付けには別の型紙が必要となるという問題があった。
【０００９】
そこで本開示では、家具の側板の内面に取り付けられる部品を、その取付位置に精度良く簡単に取り付けることが可能な取付用テンプレート、その製造方法及び当該取付用テンプレートを用いた部品の取付方法を提供することを課題とする。
【課題を解決するための手段】
【００１０】
上記の課題を解決するために、ここに開示する第１の技術に係る取付用テンプレートは、家具の側板の内面における所定の取付位置に取り付けられる部品の取付用テンプレートであって、表面又は裏面を前記家具の前記側板の内面に当接させるとともに、外周端を前記家具の背板と底板又は棚板との両者に当接させることにより、前記部品の取付作業を補助するための補助位置に配置される板状の本体と、前記本体を前記補助位置に配置したときに該本体における前記側板の前記取付位置に対応する位置に、該部品の外形に対応する形状であり且つ該本体を厚さ方向に貫通するように形成され、内周側に該部品が配置されることにより該部品の位置決め作業及び取付作業を補助する孔及び切欠きの少なくとも一方と、を備えたことを特徴とする。
【００１１】
本構成では、本体は背板と底板又は棚板との両者に当接されるから、本体の位置決めが容易である。そして、部品の取付位置に対応する位置に部品の外形に対応する形状の孔及び切欠きの少なくとも一方が設けられているから、本体を補助位置に配置したときに、部品の取付位置を容易に判別することができる。そして、孔及び切欠きの内周側に部品を配置させることにより、部品を側板の内面の取付位置に精度良く配置させることができる。そうして、本構成によれば、部品をその取付位置に精度良く簡単に取り付けることができる。
【００１２】
第２の技術は、第１の技術において、前記部品は、複数の部品であり、前記複数の部品に対応する複数の前記孔及び前記切欠きの少なくとも一方を備えることを特徴とする。
【００１３】
本構成によれば、本体には、複数の部品に対応する複数の孔及び切欠きの少なくとも一方が形成されているから、取付用テンプレートを補助位置に配置するだけで、複数の部品の取付位置を容易に判別することができる。そうして、一つの取付用テンプレートを用いて、複数の部品を精度良く簡単に取付位置に取り付けることができる。
【００１４】
第３の技術は、第１又は第２の技術において、前記家具は、引き出しを備えた収納家具であり、前記部品は、前記引き出し用のレール、耐震ロック及びマグネットの少なくとも一種であることを特徴とする。
【００１５】
本構成によれば、引き出しを備えた収納家具において、引き出し用のレール、耐震ロック及びマグネットの少なくとも一種を、取付位置に精度良く簡単に取り付けることができる。特に、引き出し用のレール、耐震ロック及びマグネットのうちの複数種を取り付ける際には、一つの取付用テンプレートを用いて全ての部品を取り付けることができるから、取付工程が簡素化される。
【００１６】
第４の技術は、第１〜第３の技術のいずれか一において、前記本体は、前記前端において二つ折りにされた板材であることを特徴とする。
【００１７】
本構成によれば、簡便な構成で、本体の十分な厚さを確保することができる。そうして、本体を補助位置に配置したときの本体の安定性、孔及び切欠きの少なくとも一方に部品を配置したときの部品の安定性等を向上させることができる。
【００１８】
第５の技術は、第１〜第４の技術のいずれか一において、前記部品は、前記家具の左右の側板の内面に取り付けられる左右一対の部品であり、前記本体を一方の側板側の前記補助位置に配置することにより、該一方の側板に取り付けられる部品の取付用に用いられ、前記本体を他方の側板側の前記補助位置に配置することにより、該他方の側板に取り付けられる部品の取付用に用いられることを特徴とする。
【００１９】
本構成によれば、一つの取付用テンプレートを左右兼用で用いることができる。
【００２０】
第６の技術に係る部品の取付方法は、第５の技術に記載の取付用テンプレートを用いて前記部品を前記側板の前記取付位置に取り付ける方法であって、前記本体を一方の側板側の前記補助位置に配置させる工程と、前記本体が前記補助位置に配置された状態で、前記孔及び前記切欠きの少なくとも一方に、前記一方の側板に取り付けられる部品を配置し、該部品を該側板に取り付ける工程と、前記部品を取り付けた後に前記本体を前記一方の側板から取外す工程と、前記本体を前記他方の側板側の前記補助位置に配置させ、前記孔及び前記切欠きの少なくとも一方に、該他方の側板に取り付けられる部品を配置し、該部品を該側板に取り付ける工程とを備えたことを特徴とする。
【００２１】
本構成によれば、一つの取付用テンプレートを用いて左右一対の部品を左右の側板に容易に取り付けることができる。
【発明の効果】
【００２２】
以上述べたように、本開示によると、本体は背板と底板又は棚板との両者に当接されるから、本体の位置決めが容易である。そして、部品の取付位置に対応する位置に部品の外形に対応する形状の孔及び切欠きの少なくとも一方が設けられているから、本体を補助位置に配置したときに、部品の取付位置を容易に判別することができる。そして、孔及び切欠きの内周側に部品を配置させることにより、部品を側板の内面の取付位置に精度良く配置させることができる。そうして、本構成によれば、部品をその取付位置に精度良く簡単に取り付けることができる。
【図面の簡単な説明】
【００２３】
【図１】家具の一例を示す斜視図である。
【図２】一実施形態に係る取付用テンプレートの右側面図である。
【図３】図２の取付用テンプレートを家具の補助位置に配置したときの斜視図である。
【図４】図３の状態で、孔及び切欠きに部品を配置した図である。
【図５】他の実施形態に係る取付用テンプレートの図２相当図である。
【図６】他の実施形態に係る取付用テンプレートの図２相当図である。
【図７】他の実施形態に係る取付用テンプレートの板材を示す図である。
【図８】図７の板材を二つ折りにした状態の斜視図である。
【図９】図８の板材の両板部の後端側を接続して得られた取付用テンプレートの上面図である。
【図１０】他の実施形態に係る取付用テンプレートの図９相当図である。
【発明を実施するための形態】
【００２４】
以下、本開示の実施形態を図面に基づいて詳細に説明する。以下の好ましい実施形態の説明は、本質的に例示に過ぎず、本開示、その適用物或いはその用途を制限することを意図するものでは全くない。
【００２５】
（実施形態１）
図１は、本実施形態に係る取付用テンプレート１１を用いて部品が取り付けられる家具１００の一例を示している。図２は、本実施形態に係る取付用テンプレート１１の右側面図である。図３は、本実施形態に係る取付用テンプレートを補助位置に配置したときの斜視図である。図４は、図３の状態で、孔及び切欠きに部品を配置した図である。なお、図１は、家具１００の下側の引き出し収容部１０１、図３は、家具１００の上側の引き出し収容部１０２を示している。
【００２６】
＜方向＞
本明細書において、方向は、図１〜図４に示すように、家具１００を床面等に配置した状態を基準とする。具体的に、家具１００の上側及び下側をそれぞれ上側及び下側とする。また、家具１００の前面側及び背面側をそれぞれ前側及び後側とする。なお、前後方向を奥行方向と称することがある。また、家具１００を前側から後側に向かって見たときに右側及び左側となる方向を、それぞれ右側及び左側とする。
【００２７】
なお、本実施形態に係る取付用テンプレート１１の方向も、図３、図４に示すように、便宜上、家具１００に宛がった状態、すなわち本体１３が補助配置にあるときを基準として、家具１００の方向に準ずる方向とする。
【００２８】
＜家具＞
図１，図３に示すように、家具１００は、引き出し１４０を備えた収納家具であり、例えば、タンス、システム収納等である。家具１００は、側板１１１と、底板１１２と、棚板１１３と、背板１１５と、天板１１６と、引き出し１４０と、内引き出し１６０とを備える。側板１１１は、右側板１１１Ａ（一方又は他方の側板）と左側板１１１Ｂ（他方又は一方の側板）とを備える。側板１１１と、底板１１２と、棚板１１３と、背板１１５とにより構成される引き出し収容部１０１に、引き出し１４０が収容される。引き出し収容部１０１の上部には、内引き出し１６０が設置されている。なお、引き出し収容部１０２も、引き出し収容部１０１と基本的に同様の構成であり、引き出し１４０及び内引き出し１６０を備える。
【００２９】
側板１１１には、部品としての、引き出し１４０用のレール１２４、内引き出し１６０用のレール１６４（これらをまとめて「レール１２４，１６４」と称することがある）、耐震ロック１２２及びマグネット１２６が取り付けられる。これらの複数の部品は、家具１００の右側板１１１Ａ及び左側板１１１Ｂの内面に取り付けられる左右一対の部品である。具体的に、右側板１１１Ａには、引き出し１４０用の右側レール１２４Ａ、内引き出し１６０用の右側レール１６４Ａ（これらをまとめて「右側レール１２４Ａ，１６４Ａ」と称することがある）、右側耐震ロック１２２Ａ及び右側マグネット１２６Ａが取り付けられる。左側板１１１Ｂには、引き出し１４０用の左側レール１２４Ｂ、内引き出し１６０用の左側レール（図示せず）、左側耐震ロック１２２Ｂ及び左側マグネット１２６Ｂが取り付けられる。引き出し１４０の側面には、引き出し側レール１４４、耐震ロック受け１４２及び引き出し側マグネット１４６が取り付けられている。具体的には、引き出し１４０の右側面には、引き出し側右レール１４４Ａ、右側耐震ロック受け１４２Ａ及び引き出し側右マグネット１４６Ａが取り付けられている。引き出し１４０の左側面には、引き出し側左レール１４４Ｂ、左側耐震ロック受け１４２Ｂ及び引き出し側左マグネット１４６Ｂが取り付けられている。内引き出し１６０の側面には、図示しない内引き出し側レールが取り付けられている。
【００３０】
なお、レール１２４及び引き出し側レール１４４は、引き出し１４０を前後方向にスライド可能とするためのものである。レール１６４及び内引き出し側レールは、内引き出し１６０を前後方向にスライド可能とするためのものである。耐震ロック１２２及び耐震ロック受け１４２は、地震等により家具１００に振動が与えられた場合に、自動的にロックがかかり、引き出し１４０が勝手に前方にスライドして収容物が飛び出すことを防ぐためのものである。マグネット１２６及び引き出し側マグネット１４６は、例えば引き出しの跳ね返りを抑制するとともに、引き出しの収容状態を安定的に保持して引き出しの勝手な飛び出し等を抑制するためのものである。
【００３１】
図３，図４に示すように、側板１１１の内面には、レール１２４，１６４、及びマグネット１２６を当該内面に取り付けるための取付孔が形成されている。具体的に、取付孔は、レール１２４，１６４を取り付けるためのレール用取付孔１８４、及びマグネット１２６を取り付けるためのマグネット用取付孔１８６である（以下、これらをまとめて「取付孔１８４，１８６」と称することがある）。なお、側板１１１には、その他のタイプの家具用の取付孔１８４，１８６も設けられており、当該側板１１１は、種々のタイプの家具に対応可能に構成されている。
【００３２】
耐震ロック１２２は、側板１１１の内面にネジ等の取付部材を直に打ち付けることにより取り付けられる。従って、耐震ロック１２２の取付位置には、予め下孔は形成されていない。なお、本構成に限られるものではなく、耐震ロック１２２の取付位置に予め下孔が形成されている構成としてもよい。
【００３３】
＜取付用テンプレート＞
図２〜図４に示すように、本実施形態に係る取付用テンプレート１１は、レール１２４，１６４、耐震ロック１２２及びマグネット１２６を側板１１１の内面における所定の取付位置に取り付けるときに、その部品の位置決め作業及び取付作業を補助するためのものである。
【００３４】
図２に示すように、取付用テンプレート１１は、本体１３と、孔１２と、第１切欠き１４（切欠き）と、第２切欠き１７（切欠き）と、第３切欠き１６（切欠き）とを備えている。
【００３５】
−本体−
本体１３は、例えば紙製、ダンボール製、発泡スチロール製、金属製、樹脂製等、好ましくはダンボール製の板状の部材であり、表面１１Ｆ（図２参照）と、裏面１１Ｅ（図３参照）とを備えている。また、本体１３は、符号１１Ａ〜１１Ｄで示される外周端を有している。外周端は、詳細には、前端１１Ａと、後端１１Ｂと、下端１１Ｃと、上端１１Ｄとにより構成される。
【００３６】
詳細は後述するが、本体１３は、レール１２４，１６４、耐震ロック１２２及びマグネット１２６の位置決め作業及び取付作業を補助するための補助位置に配置される。具体的には、まず本体１３の表面１１Ｆを右側板１１１Ａの内面に当接させるか、又は、裏面１１Ｅを左側板１１１Ｂの内面に当接させる。さらに、外周端としての後端１１Ｂ及び下端１１Ｃを、それぞれ背板１１５の内面及び棚板１１３（又は最下段の引き出しの場合は底板１１２）の上面に当接させる。そうして、本体１３は、補助位置に配置される。なお、本明細書において、本体１３を補助位置に配置することを、「取付用テンプレート１１を補助位置に配置する」ともいう。
【００３７】
−孔及び切欠き−
孔１２は、上記の耐震ロック１２２を側板１１１の内面に取り付けるためのものであり、耐震ロック１２２の外形及び取付方向に対応して前後方向に延びる矩形状を有する。第１切欠き１４は、上記のレール１２４を側板１１１の内面に取り付けるためのものであり、レール１２４の外形及び取付方向に対応して前後方向に延びる形状を有する。第２切欠き１７は、内引き出し１６０用のレール１６４を側板１１１の内面に取り付けるためのものであり、レール１６４の外形及び取付方向に対応して前後方向に延びる形状を有する。第３切欠き１６は、第１切欠き１４の後下側に、第１切欠き１４に連続して形成されている。第３切欠き１６は、マグネット１２６を側板１１１の内面に取り付けるためのものであり、マグネット１２６の外形に対応する形状を有する。孔１２、第１切欠き１４、第２切欠き１７及び第３切欠き１６は、本体１３を厚さ方向、すなわち左右方向に貫通するように形成されている。
【００３８】
本体１３を上述の補助位置に配置すると、孔１２、第１切欠き１４、第２切欠き１７及び第３切欠き１６（以下、これらをまとめて「孔１２及び切欠き１４，１６，１７」と称することがある。）は、本体１３における側板１１１のこれらの部品の取付位置に対応する位置に配置される。換言すると、本体１３を上述の補助位置に配置することにより、側板１１１における上記部品の取付位置が判別容易になる。そうして、本体１３を補助位置に配置させた状態で、孔１２、第１切欠き１４、第２切欠き１７及び第３切欠き１６の内周側に上記部品を配置することにより、部品の位置決め作業及び部品の取付作業を容易に行うことができる。
【００３９】
−左右兼用−
取付用テンプレート１１は、本体１３を右側板１１１Ａ側の補助位置に配置する、すなわち表面１１Ｆを右側板１１１Ａの内面に当接させることにより、右側板１１１Ａに取り付ける部品の取付用に用いられる。一方、取付用テンプレート１１は、本体１３を左側板１１１Ｂ側の補助位置に配置する、すなわち裏面１１Ｅを左側板１１１Ｂの内面に当接させることにより、左側板１１１Ｂに取り付ける部品の取付用に用いられる。このように、本実施形態に係る取付用テンプレート１１は、左右兼用であるから、一つの取付用テンプレート１１を用いて左右一対の部品を左右の側板１１１に容易に取り付けることができる。
【００４０】
＜取付用テンプレートの製造方法＞
例えば、取付用テンプレート１１の本体１３の原料となる板材を、補助位置に配置するために必要なサイズ及び形状、好ましくは矩形に切り出す。このとき、取付用テンプレート１１を補助位置に精度よく配置する観点から、後端１１Ｂ及び下端１１Ｃの互いの角度（通常は直角）及び長さを、より精度よく形成する必要がある。そして、板材の表面及び／又は裏面の適切な位置に、孔１２、第１切欠き１４、第２切欠き１７及び第３切欠き１６の形状、レール用取付孔１８４の位置を示すマーカ１８、及び取付作業の説明書等の必要事項を印刷する。そして、孔１２、第１切欠き１４、第２切欠き１７及び第３切欠き１６部分を打ち抜き等により形成する。そうして、取付用テンプレート１１が製造される。
【００４１】
なお、上記印刷は、両面印刷、片面印刷のいずれでもよい。また、これらの印刷を行うことなく、孔１２、第１切欠き１４、第２切欠き１７及び第３切欠き１６を形成してもよい。
【００４２】
＜取付用テンプレートを用いた部品の取付方法＞
本実施形態に係る取付用テンプレート１１を用いた部品の取付作業は、例えば以下のような手順で行うことができる。
【００４３】
まず、図３，図４に示すように、取付用テンプレート１１を、その表面１１Ｆ、下端１１Ｃ及び後端１１Ｂが、それぞれ右側板１１１Ａの内面、棚板１１３の上面及び背板１１５の内面に当接されるように配置する。これにより、取付用テンプレート１１は、右側板１１１Ａ側の補助位置に配置される（テンプレート配置工程）。
【００４４】
このとき、孔１２、第１切欠き１４、第２切欠き１７及び第３切欠き１６は、右側板１１１Ａに取り付けられる上記部品の取付位置に対応する位置に配置される。
【００４５】
上述のごとく、右側板１１１Ａの内面には、家具１００の部品用の取付孔１８４，１８６に加え、種々のタイプの家具用の取付孔１８４，１８６も形成されている。従って、取付用テンプレート１１を補助位置に配置することにより、他の家具用の取付孔１８４，１８６を概ね隠すとともに、当該家具１００の部品を取り付けるための取付孔１８４，１８６を第１切欠き１４、第２切欠き１７及び第３切欠き１６を通して容易に判別可能とすることができる。そうして、部品の取付位置が容易に判別可能となり、部品の位置決め作業が容易となる。なお、本実施形態では、耐震ロック１２２を取り付けるための下孔は形成されていないから、孔１２の内周側には取付孔は視認されない。耐震ロック１２２を取り付けるための下孔が予め形成されている場合には、孔１２を通じて視認され得る。また、図３を参照すると、第１切欠き１４及び第３切欠き１６を通じて２つの取付孔１８６を視認し得るが、マグネット１２６は第３切欠き１６を通じて視認可能な下側の取付孔１８６に取り付けられる。第１切欠き１４を通じて視認できる３つ取付孔１８４，１８６のうち、前側２つの取付孔１８４がレール１２４取付用であることは、マーカ１８により示されている。
【００４６】
次に、本体１３を補助位置に配置させた状態で、孔１２、第１切欠き１４、第２切欠き１７及び第３切欠き１６の内周側に、右側板１１１Ａに取り付けられる上記部品を配置する（部品配置工程）。このとき、孔１２、第１切欠き１４、第２切欠き１７及び第３切欠き１６は、各々の部品の取付状態の外形に対応する形状を有しているから、部品を側板の内面の取付位置に精度良く配置させることができる。
【００４７】
そして、上記部品をネジ、ボルト等の取付器具により右側板１１１Ａの内面に固定する（部品取付工程）。
【００４８】
右側板１１１Ａに取り付ける全ての部品の固定が完了したら、取付用テンプレート１１を補助位置から取外して（テンプレート除去工程）、右側板１１１Ａに取り付ける部品の取付作業は終了する。
【００４９】
その後、取付用テンプレート１１を左側板１１１Ｂ側の補助位置に配置し（テンプレート配置工程）、上記部品配置工程〜テンプレート除去工程を繰り返すことにより、左側板１１１Ｂに取り付ける部品の取付作業を行う。
【００５０】
このようにして、側板１１１の内面に取り付ける左右一対の部品の取付作業が完了する。
【００５１】
なお、上記説明では、右側の部品の取付作業を先に行う手順を述べたが、左右の取付順は特に限定されるものではなく、左側の部品の取付作業を先に行ってもよい。この場合、取付用テンプレート１１の裏面１１Ｅを左側板１１１Ｂの内面に当接させることにより取付作業を開始すればよい。
【００５２】
＜作用効果＞
以上述べたように、本実施形態に係る取付用テンプレート１１では、本体１３は側板１１１の内面に加え、その外周端が背板１１５と棚板１１３（又は底板１１２）との両者に当接されるから、補助位置が一義的に決まり、本体１３の位置決めが容易である。また、本体１３には、部品の取付位置に対応する位置に部品の外形に対応する形状の孔１２及び切欠き１４，１６，１７が設けられているから、本体１３を補助位置に配置したときに、複数の部品の取付位置を容易に判別することができる。そして、孔及び切欠きの内周側に部品を配置させることにより、複数の部品を側板の内面の取付位置に精度良く配置させることができ、部品の位置決め作業が容易となる。そうして、一つの取付用テンプレート１１を用いて複数の部品の全てを簡単且つ迅速に精度よく取り付けることができ、結果として取り付け工程が簡素化される。
【００５３】
（実施形態２）
以下、本開示に係る他の実施形態について詳述する。なお、これらの実施形態の説明において、実施形態１と同じ部分については同じ符号を付して詳細な説明を省略する。
【００５４】
＜取付用テンプレート＞
図５は、実施形態２に係る取付用テンプレート１１の図２相当図である。図５に示すように、当該取付用テンプレート１１には、マグネット１２６を取り付けるための第３切欠き１６が形成されていない。例えば、引き出し１４０を閉じるときにスライド速度を低下させる機能を有するレールを採用する場合には、マグネット１２６を必要としないため、図５に示すような取付用テンプレート１１を採用することができる。また、本実施形態では、第１切欠き１４及び第２切欠き１７は、孔として形成されている。孔及び切欠きの違いは部品の形状等により適宜決定され得る。当該取付用テンプレート１１には、内引き出し１６０用の耐震ロックを取り付けるための孔１２が形成されている。
【００５５】
（実施形態３）
＜取付用テンプレート＞
図６は、実施形態３に係る取付用テンプレート１１の図２相当図である。本実施形態に係る取付用テンプレート１１も、図５に示す実施形態２に係る取付用テンプレート１１と同様に、マグネット１２６用の第３切欠き１６は形成されていない。本実施形態の取付用テンプレート１１は、取手なしの引き出し等において、引き出しの前扉を押すと引き出しが少し前方にスライドして開閉可能となるようなプッシュオープンタイプの引き出し専用のレールを取り付けるためのものである。
【００５６】
（実施形態４）
＜取付用テンプレート＞
図７は、実施形態４に係る取付用テンプレート１１用の板材１０を示す図である。図８は、図７に示す板材１０を折り曲げ線１０Ａで折り曲げた状態の斜視図である。図９は、図８に示す板材１０の後端１１Ｂを折り曲げるとともに互いに接続させて取付用テンプレート１１とした状態の平面図である。
【００５７】
図７〜図９に示すように、実施形態４に係る取付用テンプレート１１は、板材１０の前端１１Ａにおいて二つ折りにされるとともに、後端１１Ｂにおいて表面１１Ｆ側の板部と裏面１１Ｅ側の板部とが互いに接続されてなる。
【００５８】
この取付用テンプレート１１では、後端１１Ｂにおいて折り曲げられた部分が互いに接続されてマチが形成されている。これにより、本体１３の前端１１Ａ側から後端１１Ｂ側に向かうにつれて、表面１１Ｆ側の板部と裏面１１Ｅ側の板部との間隔は広がっている。そうして、本体１３の後端１１Ｂの厚さＷ２は、本体１３の前端１１Ａの厚さＷ１よりも厚くなっている。
【００５９】
＜取付用テンプレートの製造方法＞
実施形態４に係る取付用テンプレート１１は、例えば以下の手順により製造される。
【００６０】
まず、板材１０に左右一対の部品の外形に対応する形状の貫通孔１０Ｊ，１０Ｈ及び貫通孔１０Ｊの一部としての切欠き１０Ｋを形成する。当該工程は、上記実施形態の取付用テンプレート１１の製造方法と同様に行うことができる。
【００６１】
なお、貫通孔１０Ｊ，１０Ｈは、折り曲げ線１０Ａが形成される位置に関して左右対称に形成される。また、貫通孔１０Ｊ，１０Ｈの形状は、折り曲げ線１０Ａに対して対称となるように左右一対の部品の各々を配置したときに、これら左右一対の部品の全体の形状に対応する形状である。そして、板材１０を折り曲げ線１０Ａで二つ折りにしたときに、貫通孔１０Ｊ，１０Ｈは、後述するように、耐震ロック１２２、レール１２４及びマグネット１２６を取り付けるための切欠きを構成する。
【００６２】
次に、板材１０の中央付近の折り曲げ線１０Ａと、後端１１Ｂ近傍の折り曲げ線１０Ｇを、破線等の切り込みを入れる等の方法により形成する。なお、貫通孔１０Ｊ，１０Ｈの形成と折り曲げ線１０Ａ，１０Ｇの形成とはいずれを先に行ってもよいし、同時に行ってもよい。
【００６３】
そして、折り曲げ線１０Ａにおいて板材１０を二つ折りにする。さらに、板材１０の両板部の後端１１Ｂ側の各々を折り曲げて、接着剤、テープ、ステープラ等により両者を接続する。そうして、本実施形態に係る取付用テンプレート１１を得ることができる。なお、当該折り曲げ工程は、出荷前に行ってもよいし、家具１００の組立現場で行うようにしてもよい。
【００６４】
なお、実施形態４に係る取付用テンプレート１１は、切欠きのみを備える。すなわち、上記実施形態では、耐震ロック１２２の取付作業は、孔１２により補助される構成であったが、本実施形態では、貫通孔１０Ｈにより形成される切欠き１２’により、耐震ロック１２２の取付作業は補助される。なお、貫通孔１０Ｊ及びそれに連続して形成された切欠き１０Ｋは、板材１０の二つ折りによりそれぞれ第１切欠き１４及び第３切欠き１６となる。
【００６５】
＜作用効果＞
このように、本実施形態に係る取付用テンプレート１１では、板材１０を二つ折りにするとともに、その両板部の後端１１Ｂ側を接続することにより、簡便な構成で、本体１３の後端１１Ｂ側の厚さを前端１１Ａ側の厚さよりも厚くすることができる。これにより、左右兼用の取付用テンプレート１１の強度及び耐久性が向上するとともに、本体１３を補助位置に配置したときの本体１３の安定性、切欠き１２’，１４，１６に部品を配置したときの部品の安定性等が向上する。そうして、部品の位置決め作業及び取付作業が容易となる。
【００６６】
（実施形態５）
図１０は、実施形態５に係る取付用テンプレート１１の図９相当図である。上記実施形態４に係る取付用テンプレート１１は、板材１０の両板部が後端１１Ｂにおいて互いに接続された構成であったが、図１０に示すように、接続させない構成としてもよい。当該構成では、後端１１Ｂが互いに接続されていないから、両板部は前端１１Ａから後端１１Ｂに向かって自然に広がった状態となる。本構成によれば、取付用テンプレート１１の製造工程が上記実施形態４の取付用テンプレート１１の製造工程よりも簡潔化される。
【００６７】
（その他の実施形態）
上記実施形態では、取付用テンプレート１１は左右兼用であったが、当該構成に限られるものではなく、左右いずれか一方の側板１１１の内面に取り付けられる部品についても使用することができる。
【００６８】
上記実施形態では、側板１１１の内面に取り付けられる部品として、引き出し用レール、耐震ロック及びマグネットを例示したが、これらの部品に限定されるものではなく、取付用テンプレート１１はその他の部品の取付工程にも利用できる。
【００６９】
以上、本開示の好ましい実施形態について説明したが、本開示の技術的範囲は上記の各実施形態に記載の範囲に限定されない。上記の各実施形態は例示であり、それらの各構成要素及び各処理プロセスの組み合わせには、さらに種々の変形例が可能なこと、また、そうした変形例も本開示の範囲に属することは当業者に理解されるところである。
【産業上の利用可能性】
【００７０】
本開示は、取付用テンプレート、その製造方法及び部品の取付方法の分野において有用である。
【符号の説明】
【００７１】
１０  板材
１０Ｈ，１０Ｊ  貫通孔
１１  取付用テンプレート
１１Ａ  （本体の）前端
１１Ｂ  （本体の）後端（外周端）
１１Ｃ  （本体の）下端（外周端）
１１Ｅ  （本体の）裏面
１１Ｆ  （本体の）表面
１２  孔
１２’  切欠き
１３  本体
１４  第１切欠き（切欠き）
１６  第３切欠き（切欠き）
１７  第２切欠き（切欠き）
１００  家具
１１１  側板
１１１Ａ  右側板（一方又は他方の側板）
１１１Ｂ  左側板（他方又は一方の側板）
１１２  底板
１１３  棚板
１１５  背板
１２２  耐震ロック
１２４  （引き出し用）レール
１２６  マグネット
１６４  （内引き出し用）レール
【図１】
2020162874.tif 000003
【図２】
2020162874.tif 000004
【図３】
2020162874.tif 000005
【図４】
2020162874.tif 000006
【図５】
2020162874.tif 000007
【図６】
2020162874.tif 000008
【図７】
2020162874.tif 000009
【図８】
2020162874.tif 000010
【図９】
2020162874.tif 000011
【図１０】
2020162874.tif 000012